(57)【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群より構成され、ズーミングに際して各レンズ群が移動することで隣り合うレンズ群の間隔が変化するズームレンズであって、
前記第２レンズ群と前記第３レンズ群の間に開口絞りが配置されており、
前記第３レンズ群は、正の屈折力の第１部分群と正又は負の屈折力の第２部分群より構成され、
無限遠から近距離へのフォーカシングに際して前記第１部分群が像側へ移動し、
物体側から数えて第ｉ番目（ｉ＝１〜ｎ）のレンズ群を第ｉレンズ群、無限遠に合焦しているときの望遠端における前記第ｉレンズ群の横倍率をβｉＴ、無限遠に合焦しているときの広角端における前記第ｉレンズ群の横倍率をβｉＷ、前記第２レンズ群よりも像側に位置するレンズ群の合成変倍比を
ＺＲ＝（β３Ｔ×β４Ｔ×・・・×βｎＴ）／（β３Ｗ×β４Ｗ×・・・×βｎＷ）
とするとき、
３．００＜ＺＲ＜１０．００
−２．５０＜β２Ｔ＜−０．９０
なる条件式を満足することを特徴とするズームレンズ。
【請求項２】
前記第２レンズ群の焦点距離をｆ２、無限遠に合焦しているときの望遠端における全系の焦点距離をｆＴとするとき、
−０．０７＜ｆ２／ｆＴ＜−０．０３
なる条件式を満足することを特徴とする請求項１に記載のズームレンズ。
【請求項３】
前記第１部分群の焦点距離をｆａ、望遠端における全系の焦点距離をｆＴとするとき、
０．０２＜ｆａ／ｆＴ＜０．２０
なる条件式を満足することを特徴とする請求項１又は２に記載のズームレンズ。
【請求項４】
前記第２レンズ群の変倍比をＺ２＝β２Ｔ／β２Ｗとし、全系の変倍比をＺとするとき、
０．１０＜Ｚ２／Ｚ＜０．３５
なる条件式を満足することを特徴とする請求項１及至３のいずれか一項に記載のズームレンズ。
【請求項５】
前記第１部分群に含まれるレンズのうち、一つのレンズの材料の屈折率とアッベ数を各々ｎｄ３Ａ、νｄ３Ａとするとき、
ｎｄ３Ａ＞１．５０
νｄ３Ａ＞５５．０
なる条件式を満足することを特徴とする請求項１乃至４のいずれか一項に記載のズームレンズ。
【請求項６】
前記第１部分群は一つの正レンズから構成されることを特徴とする請求項１及至５のいずれか一項に記載のズームレンズ。
【請求項７】
無限遠から近距離へのフォーカシングに際して前記第２部分群が物体側へ移動することを特徴とする請求項１乃至６のいずれか一項に記載のズームレンズ。
【請求項８】
物体側より像側へ順に配置された、正の屈折力の第１レンズ群、負の屈折力の第２レンズ群、正の屈折力の第３レンズ群、正の屈折力の第４レンズ群、負の屈折力の第５レンズ群より構成され、ズーミングに際して各レンズ群が移動することで隣り合うレンズ群の間隔が変化するズームレンズであって、
前記第２レンズ群と前記第３レンズ群の間に開口絞りが配置されており、
前記第３レンズ群は、正の屈折力の第１部分群と正又は負の屈折力の第２部分群より構成され、
無限遠から近距離へのフォーカシングに際して前記第１部分群が像側へ移動し、
物体側から数えて第ｉ番目（ｉ＝１〜ｎ）のレンズ群を第ｉレンズ群、無限遠に合焦しているときの望遠端における前記第ｉレンズ群の横倍率をβｉＴ、無限遠に合焦しているときの広角端における前記第ｉレンズ群の横倍率をβｉＷ、前記第２レンズ群よりも像側に位置するレンズ群の合成変倍比を
ＺＲ＝（β３Ｔ×β４Ｔ×・・・×βｎＴ）／（β３Ｗ×β４Ｗ×・・・×βｎＷ）
とするとき、
３．００＜ＺＲ＜１０．００
−２．５０＜β２Ｔ＜−０．９０
なる条件式を満足することを特徴とするズームレンズ。
【請求項９】
請求項１及至８のいずれか一項に記載のズームレンズと、前記ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、撮像装置に用いる撮像光学系には、全系が小型でありながら高ズーム比で高性能なズームレンズであることが要求されている。またこれらのズームレンズには高速かつ高精度にフォーカスができること等が要望されている。従来、全系が小型で高ズーム比で最も物体側の第１レンズ群より像側の小型、軽量のレンズ群を用いてフォーカシングを行ったインナーフォーカス式を用いたポジティブリード型のズームレンズが知られている（特許文献１乃至４）。
【０００３】
一般に、第１レンズ群以外のレンズ群でフォーカシングを行うインナーフォーカス式のズームレンズは第１レンズ群を移動させてフォーカスを行うズームレンズに比べて第１レンズ群の有効径が小さくなり、レンズ系全体の小型化が容易になる。また、近接撮影、特に極至近撮影が容易となる。さらに、小型軽量のレンズ群を移動させているので、レンズ群の駆動力が小さくて済み、迅速なフォーカスができる等の特徴がある。
【０００４】
特許文献１は物体側から像側へ順に、正，負，正，負，正の屈折力の第１レンズ群乃至第５レンズ群よりなり、隣り合うレンズ群の間隔を変えてズーミングを行い、第２レンズ群の一部のレンズ群でフォーカシングを行ったズームレンズを開示している。また特許文献２は物体側から像側へ順に、正，負，正，正，負の屈折力の第１レンズ群乃至第５レンズ群よりなり、隣り合うレンズ群の間隔を変えてズーミングを行い、第３レンズ群でフォーカシングを行ったズームレンズを開示している。
【０００５】
特許文献３は物体側から像側へ順に、正，負，正，負，正の屈折力の第１レンズ群乃至第５レンズ群よりなり、隣り合うレンズ群の間隔を変えてズーミングを行い、第３レンズ群でフォーカシングを行ったズームレンズを開示している。特許文献４は物体側から像側へ順に、正，負，正，正，負の屈折力の第１レンズ群乃至第５レンズ群よりなり隣り合うレンズ群の間隔を変えてズーミングを行い、第５レンズ群でフォーカシングを行ったズームレンズを開示している。
【先行技術文献】
【特許文献】
【０００６】
【特許文献１】特開２０１２−１５９７４６号公報
【特許文献２】特開１９９７−０９０２２６号公報
【特許文献３】特開２００９−２５１１１４号公報
【特許文献４】特開２０１１−０９０１９０号公報
【発明の概要】
【発明が解決しようとする課題】
【０００７】
ズームレンズにおいて、所定のズーム比を確保しつつ、ズーム全域及び物体距離全般にわたり高い光学性能を得るには、ズームレンズを構成する各要素を適切に設定することが重要となってくる。例えばズームタイプ（レンズ群の数や各レンズ群の屈折力）、各レンズ群のズーミングに伴う移動軌跡、そして各レンズ群の変倍負担、フォーカシング用のレンズ群の選択及びレンズ構成等を適切に設定することが重要になってくる。
【０００８】
これらの構成が適切でないと、高ズーム比化を図る際に全系が大型化し、又、ズーミング及びフォーカシングに伴う諸収差の変動が増大し、全ズーム範囲、及び物体距離全般にわたり高い光学性能を得るのが大変難しくなってくる。例えば特許文献１乃至４のポジティブリードタイプのズームレンズは主変倍レンズ群である第２レンズ群に大きな変倍比を持たせて高ズーム比化を図っている。しかしながら、第２レンズ群に大きな変倍比を持たせると、第１レンズ群と第２レンズ群のズーミングにおける間隔変化を大とする必要があり、レンズ系全体が大型化してくる傾向がある。
【０００９】
また、迅速なフォーカシングを行うためには、フォーカスレンズ部が小型であり、フォーカシング移動量が小さくなるようにフォーカスレンズ部及びフォーカスレンズ部より像側に位置するレンズ群の結像倍率を適切に設定する必要がある。特に、高ズーム比化及び迅速なフォーカシングを図るためには、各レンズ群の結像倍率とズーミングに伴う結像倍率の変化を適切に設定することが重要になってくる。
【００１０】
本発明は、迅速なフォーカスが容易で、高ズーム比でかつ全ズーム範囲及び物体距離全般にわたり高い光学性能が得られる小型のズームレンズ及びそれを有する撮像装置の提供を目的とする。
【課題を解決するための手段】
【００１１】
本発明のズームレンズは、  物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群より構成され、ズーミングに際して各レンズ群が移動することで隣り合うレンズ群の間隔が変化するズームレンズであって、
前記第２レンズ群と前記第３レンズ群の間に開口絞りが配置されており、
前記第３レンズ群は、正の屈折力の第１部分群と正又は負の屈折力の第２部分群より構成され、
無限遠から近距離へのフォーカシングに際して前記第１部分群が像側へ移動し、
物体側から数えて第ｉ番目（ｉ＝１〜ｎ）のレンズ群を第ｉレンズ群、無限遠に合焦しているときの望遠端における前記第ｉレンズ群の横倍率をβｉＴ、無限遠に合焦しているときの広角端における前記第ｉレンズ群の横倍率をβｉＷ、前記第２レンズ群よりも像側に位置するレンズ群の合成変倍比を
ＺＲ＝（β３Ｔ×β４Ｔ×・・・×βｎＴ）／（β３Ｗ×β４Ｗ×・・・×βｎＷ）
とするとき、
３．００＜ＺＲ＜１０．００
−２．５０＜β２Ｔ＜−０．９０
なる条件式を満足することを特徴としている。
本発明のこの他のズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群より構成され、ズーミングに際して各レンズ群が移動することで隣り合うレンズ群の間隔が変化するズームレンズであって、
前記第２レンズ群と前記第３レンズ群の間に開口絞りが配置されており、
前記第３レンズ群は、正の屈折力の第１部分群と正又は負の屈折力の第２部分群より構成され、
無限遠から近距離へのフォーカシングに際して前記第１部分群が像側へ移動し、
物体側から数えて第ｉ番目（ｉ＝１〜ｎ）のレンズ群を第ｉレンズ群、無限遠に合焦しているときの望遠端における前記第ｉレンズ群の横倍率をβｉＴ、無限遠に合焦しているときの広角端における前記第ｉレンズ群の横倍率をβｉＷ、前記第２レンズ群よりも像側に位置するレンズ群の合成変倍比を
ＺＲ＝（β３Ｔ×β４Ｔ×・・・×βｎＴ）／（β３Ｗ×β４Ｗ×・・・×βｎＷ）
とするとき、
３．００＜ＺＲ＜１０．００
−２．５０＜β２Ｔ＜−０．９０
なる条件式を満足することを特徴としている。
なる条件式を満足することを特徴としている。
【発明の効果】
【００１２】
本発明によれば、迅速なフォーカスが容易で、高ズーム比でかつ全ズーム範囲及び物体距離全般にわたり高い光学性能が得られる小型のズームレンズが得られる。
【図面の簡単な説明】
【００１３】
【図１】本発明の実施例１のレンズ断面図
【図２】（Ａ），（Ｂ），（Ｃ）  実施例１の広角端と中間のズーム位置と望遠端における無限遠物体に合焦したときの縦収差図
【図３】（Ａ），（Ｂ），（Ｃ）  実施例１の広角端と中間のズーム位置と望遠端における有限距離（像面から７００ｍｍ）に合焦したときの縦収差図
【図４】本発明の参考例１のレンズ断面図
【図５】（Ａ），（Ｂ），（Ｃ）  参考例１の広角端と中間のズーム位置と望遠端における無限遠物体に合焦したときの縦収差図
【図６】（Ａ），（Ｂ），（Ｃ）  参考例１の広角端と中間のズーム位置と望遠端における有限距離（像面から７００ｍｍ）に合焦したときの縦収差図
【図７】本発明の実施例２のレンズ断面図
【図８】（Ａ），（Ｂ），（Ｃ）  実施例２の広角端と中間のズーム位置と望遠端における無限遠物体に合焦したときの縦収差図
【図９】（Ａ），（Ｂ），（Ｃ）  実施例２の広角端と中間のズーム位置と望遠端における有限距離（像面から７００ｍｍ）に合焦したときの縦収差図
【図１０】本発明の実施例３のレンズ断面図
【図１１】（Ａ），（Ｂ），（Ｃ）  実施例３の広角端と中間のズーム位置と望遠端における無限遠物体に合焦したときの縦収差図
【図１２】（Ａ），（Ｂ），（Ｃ）  実施例３の広角端と中間のズーム位置と望遠端における有限距離（像面から７００ｍｍ）に合焦したときの縦収差図
【図１３】本発明の撮像装置の要部概略図
【発明を実施するための形態】
【００１４】
以下、本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、２つ以上のレンズ群を含む後群を有し、ズーミングに際して隣り合うレンズ群の間隔が変化する。第２レンズ群と前記第３レンズ群の間に開口絞りを有し、第３レンズ群は、正の屈折力の第１部分群と正又は負の屈折力の第２部分群より構成され、フォーカシングに際し、少なくとも第１部分群が光軸上を移動する。
【００１５】
図１は本発明の実施例１のズームレンズの広角端（短焦点距離端）において無限遠物体に合焦したときのレンズ断面図である。図２（Ａ），（Ｂ），（Ｃ）はそれぞれ実施例１のズームレンズの広角端と中間のズーム位置と望遠端（長焦点距離端）において無限遠物体に合焦したときの縦収差図である。図３（Ａ），（Ｂ），（Ｃ）はそれぞれ実施例１のズームレンズの広角端と中間のズーム位置と望遠端において有限距離（後述する数値実施例をｍｍ単位で表したとき像面から７００ｍｍ）に合焦したときの縦収差図である。
【００１６】
図４は本発明の参考例１のズームレンズの広角端において無限遠物体に合焦したときのレンズ断面図である。図５（Ａ），（Ｂ），（Ｃ）はそれぞれ参考例１のズームレンズの広角端と中間のズーム位置と望遠端において無限遠物体に合焦したときの縦収差図である。図６（Ａ），（Ｂ），（Ｃ）はそれぞれ参考例１のズームレンズの広角端と中間のズーム位置と望遠端において有限距離（後述する数値実施例をｍｍ単位で表したとき像面から７００ｍｍ）に合焦したときの縦収差図である。
【００１７】
図７は本発明の実施例２のズームレンズの広角端において無限遠物体に合焦したときのレンズ断面図である。図８（Ａ），（Ｂ），（Ｃ）はそれぞれ実施例２のズームレンズの広角端と中間のズーム位置と望遠端において無限遠物体に合焦したときの縦収差図である。図９（Ａ），（Ｂ），（Ｃ）はそれぞれ実施例２のズームレンズの広角端と中間のズーム位置と望遠端において有限距離（後述する数値実施例をｍｍ単位で表したとき像面から７００ｍｍ）に合焦したときの縦収差図である。
【００１８】
図１０は本発明の実施例３のズームレンズの広角端において無限遠物体に合焦したときのレンズ断面図である。図１１（Ａ），（Ｂ），（Ｃ）はそれぞれ実施例３のズームレンズの広角端と中間のズーム位置と望遠端において無限遠物体に合焦したときの縦収差図である。図１２（Ａ），（Ｂ），（Ｃ）はそれぞれ実施例３のズームレンズの広角端と中間のズーム位置と望遠端において有限距離（後述する数値実施例をｍｍ単位で表したとき像面から７００ｍｍ）に合焦したときの縦収差図である。
【００１９】
図１３は本発明のズームレンズを備えるカメラ（撮像装置）の要部概略図である。各実施例のズームレンズはビデオカメラやデジタルカメラ、そして銀塩フィルムカメラ等の撮像装置に用いられる撮像レンズ系である。
【００２０】
レンズ断面図において、左方が物体側（前方）で、右方が像側（後方）である。レンズ断面図において、ｉは物体側からレンズ群の順番を示し、Ｌｉは第ｉレンズ群である。ＬＲは２つ以上のレンズ群を有する後群である。ＳＰは開口絞りであり、第２レンズ群Ｌ２と第３レンズ群Ｌ３との間に配置されている。Ｌ３Ａは第３レンズ群Ｌ３の一部の正の屈折力の第１部分群、Ｌ３Ｂは第３レンズ群Ｌ３の一部の負の屈折力の第２部分群である。
【００２１】
ＩＰは像面であり、ビデオカメラやデジタルスチルカメラの撮影光学系として使用する際にはＣＣＤセンサーやＣＭＯＳセンサーなどの固体撮像素子（光電変換素子）の撮像面が配置され、銀塩フィルム用カメラのときはフィルム面が配置される。
【００２２】
球面収差図において、実線のｄはｄ線、二点鎖線のｇはｇ線である。非点収差図において点線のΔＭはメリディオナル像面、実線のΔＳはサジタル像面である。倍率色収差はｇ線について示している。ωは半画角（度）、ＦｎｏはＦナンバーである。尚、以下の各実施例において広角端と望遠端は各レンズ群が機構上光軸上を移動可能な範囲の両端に位置したときのズーム位置をいう。矢印は広角端から望遠端へのズーミングにおける各レンズ群の移動軌跡を示している。またフォーカスに関する矢印は無限遠から近距離へのフォーカシングに際しての移動方向を示している。
【００２３】
本発明のズームレンズは物体側から像側へ順に、正の屈折力の第１レンズ群Ｌ１、負の屈折力の第２レンズ群Ｌ２、正の屈折力の第３レンズ群Ｌ３、２つ以上のレンズ群を含む後群ＬＲより構成されている。ズーミングに際して隣り合うレンズ群の間隔が変化する。第３レンズ群Ｌ３は、正の屈折力の第１部分群Ｌ３Ａと正又は負の屈折力の第２部分群Ｌ３Ｂによって構成される。
【００２４】
無限遠から有限距離へのフォーカシング（合焦）に際し、少なくとも第１部分群Ｌ３Ａが光軸に沿って移動する。各実施例において第１部分群Ｌ３Ａは、フォーカスレンズ部の光軸に沿った移動量に対する像面位置の光軸に沿った移動量の比である敏感度が高いことから、フォーカシング移動量が少ないので迅速なフォーカシングが容易である。また、フォーカスレンズ部である正の屈折力の第１部分群Ｌ３Ａを開口絞りＳＰよりも像側へ配置し、開口絞りＳＰとの距離を近づけることでフォーカスレンズ部Ｌ３Ａの小型化を図っている。
【００２５】
そして物体側から数えて第ｉ番目（ｉ＝１〜ｎ）のレンズ群を第ｉレンズ群、無限遠に合焦しているときの望遠端における前記第ｉレンズ群の横倍率をβｉＴ、無限遠に合焦しているときの広角端における第ｉレンズ群の横倍率をβｉＷとする。第２レンズ群よりも像側に位置するレンズ群の合成変倍比ＺＲを
ＺＲ＝(β３Ｔ×β４Ｔ×・・・×βｎＴ)／（β３Ｗ×β４Ｗ×・・・×βｎＷ）
とする。このとき、
３．００＜ＺＲ＜１０．００      ・・・（１）
−２．５０＜β２Ｔ＜−０．９０  ・・・（２）
なる条件式を満足する。
【００２６】
次に前述の各条件式の技術的意味について説明する。条件式（１）は第２レンズ群Ｌ２よりも像側に存在するレンズ群による合成変倍比に関する。条件式（１）の下限を下回ると、全系でのズーム比を大きくすることが困難となる。また、条件式（１）の上限を超えると、第２レンズ群Ｌ２よりも像側のレンズ群のズーミングに際しての移動量が多くなることや屈折力が強くなることで諸収差が増大し、諸収差の良好なる補正が困難となる。  
【００２７】
条件式（２）は望遠端における第２レンズ群Ｌ２の横倍率（結像横倍率）に関する。条件式（２）の上限を超えるとズーミングに伴う第１レンズ群Ｌ１と第２レンズ群Ｌ２の間隔変化が増大し、望遠端における第１レンズ群Ｌ１のズーミングに際しての繰出し量が大きくなりすぎて、メカ機構が複雑になってくる。条件式（２）の下限を下回ると第１レンズ群Ｌ１の正の屈折力が強くなりすぎ、望遠端において球面収差、コマ収差が増大し、これらの諸収差の補正が困難となる。更に好ましくは、条件式（１），（２）の数値範囲を以下のようにする方が良い。
【００２８】
３．００＜ＺＲ＜６．００        ・・・（１ａ）
−２．５０＜β２Ｔ＜−１．００  ・・・（２ａ）
さらに好ましくは、条件式（１ａ），（２ａ）の数値範囲を以下のようにする方が良い。
３．４０＜ＺＲ＜５．００        ・・・（１ｂ）
−２．００＜β２Ｔ＜−１．００  ・・・（２ｂ）
【００２９】
各実施例によれば以上のごとく構成することにより、光学系全体が小型で高ズーム比でフォーカシングに際しての収差変動の少ないズームレンズが得られる。各実施例において、更に好ましくは次の諸条件のうち１つ以上を満足するのが良い。第２レンズ群Ｌ２の焦点距離をｆ２、無限遠に合焦しているときの望遠端における全系の焦点距離をｆＴとする。第１部分群の焦点距離をｆａとする。第２レンズ群Ｌ２の変倍比Ｚ２をＺ２＝β２Ｔ／β２Ｗとし、全系の変倍比をＺとする。
【００３０】
ここで全系の変倍比Ｚは広角端における全系の焦点距離をｆＷとするとき、
Ｚ＝ｆＴ／ｆＷ
である。第１部分群Ｌ３Ａに含まれるレンズのうち、１つのレンズの材料の屈折率とアッベ数を各々ｎｄ３Ａ、νｄ３Ａとする。このとき、次の条件式のうち１つ以上を満足するのが良い。
【００３１】
−０．０７＜ｆ２／ｆＴ＜−０．０３  ・・・（３）
０．０２＜ｆａ／ｆＴ＜０．２０      ・・・（４）
０．１０＜Ｚ２／Ｚ＜０．３５        ・・・（５）
ｎｄ３Ａ＞１．５０                  ・・・（６）
νｄ３Ａ＞５５．０                  ・・・（７）
【００３２】
次に前述の各条件式の技術的意味について説明する。条件式（３）は第２レンズ群Ｌ２の負の屈折力に関する。条件式（３）の上限を超えて第２レンズ群の負の屈折力が強くなりすぎると（負の屈折力の絶対値が大きくなると）、ズーミングに伴う諸収差の変動が大きくなってくる。条件式（３）の下限を下回り、負の屈折力が弱くなりすぎると（負の屈折力の絶対値が小さくなると）、第２レンズ群Ｌ２の変倍分担が小さくなり高ズーム比化が困難となる。好ましくは条件式（３）の数値範囲を以下のようにする方が良い。
【００３３】
−０．０６＜ｆ２／ｆＴ＜−０．０３  ・・・（３ａ）
さらに好ましくは、条件式（３ａ）の数値範囲を以下のようにする方が良い。
【００３４】
−０．０５＜ｆ２／ｆＴ＜−０．０３  ・・・（３ｂ）
条件式（４）はフォーカス用のレンズ部（第１部分群）Ｌａの正の屈折力に関する。条件式（４）の上限を超えると望遠端におけるレンズ部Ｌａの正の屈折力が弱くなり、フォーカス敏感度が減少してくる。また、条件式（４）の下限を下回るとレンズ部Ｌａの正の屈折力が強くなりすぎ、フォーカシングに伴う諸収差の変動が大きくなってくる。更に好ましくは条件式（４）の数値範囲を以下のようにする方が良い。
【００３５】
０．０５＜ｆａ／ｆＴ＜０．１７  ・・・（４ａ）
さらに好ましくは、条件式（４ａ）の数値範囲を以下のようにする方が良い。
【００３６】
０．１２＜ｆａ／ｆＴ＜０．１７  ・・・（４ｂ）
条件式（５）は第２レンズ群Ｌ２の変倍比分担に関する。条件式（５）の上限を超えると、第２レンズ群Ｌ２の変倍比分担が大きくなりすぎて第２レンズ群Ｌ２における収差変動を補正することが困難となる。条件式（５）の下限を下回ると、他のレンズ群による変倍比分担が大きくなりすぎるため、第２レンズ群Ｌ２以外で発生する収差が大きくなり、これらの補正が困難となる。更に好ましくは条件式（５）の数値範囲を以下のようにする方が良い。
【００３７】
０．１０＜Ｚ２／Ｚ＜０．３４  ・・・（５ａ）
さらに好ましくは、条件式（５ａ）の数値範囲を以下のようにする方が良い。
【００３８】
０．２５＜Ｚ２／Ｚ＜０．３４  ・・・（５ｂ）
条件式（６），（７）はフォーカス用のレンズ部である第１部分群Ｌ３Ａ内の１つのレンズの材料に関する。条件式（６），（７）の数値範囲から外れると、フォーカシングに伴う色収差の変動が大きくなり、好ましくない。更に好ましくは条件式（６），（７）の数値範囲を以下のようにする方が良い。
【００３９】
ｎｄ３Ａ＞１．５４  ・・・（６ａ）
νｄ３Ａ＞５８．０  ・・・（７ａ）
【００４０】
次に各実施例のレンズ構成について説明する。各実施例では、物体側から像側へ順に、正の屈折力の第１レンズ群Ｌ１、負の屈折力の第２レンズ群Ｌ２、正の屈折力の第３レンズ群Ｌ３、２つ以上のレンズ群を含む後群ＬＲを有する。第２レンズ群Ｌ２と第３レンズ群Ｌ３の間に開口絞りＳＰを有する。
【００４１】
実施例１において後群ＬＲは、物体側から像側へ順に、負の屈折力の第４レンズ群Ｌ４、正の屈折力の第５レンズ群Ｌ５、負の屈折力の第６レンズ群Ｌ６より構成され、ズーミングに際して各レンズ群が移動する。無限遠から近距離へのフォーカシングに際して第１部分群Ｌ３Ａは像側へ移動する。第１部分群Ｌ３Ａはレンズ部Ｌａに相当する。
【００４２】
参考例１において後群ＬＲは、物体側から像側へ順に、負の屈折力の第４レンズ群Ｌ４、正の屈折力の第５レンズ群Ｌ５より構成され、ズーミングに際して各レンズ群が移動する。無限遠から近距離へのフォーカシングに際して第１部分群Ｌ３Ａが像側へ移動する。第１部分群Ｌ３Ａはレンズ部Ｌａに相当する。
【００４３】
実施例２において後群ＬＲは、物体側から像側へ順に、正の屈折力の第４レンズ群Ｌ４、負の屈折力の第５レンズ群Ｌ５より構成され、ズーミングに際して各レンズ群が移動する。無限遠から近距離へのフォーカシングに際して第１部分群Ｌ３Ａが像側へ移動する。第１部分群Ｌ３Ａはレンズ部Ｌａに相当する。
【００４４】
実施例３において後群ＬＲは、物体側から像側へ順に、負の屈折力の第４レンズ群Ｌ４、正の屈折力の第５レンズ群Ｌ５、負の屈折力の第６レンズ群Ｌ６より構成され、ズーミングに際して各レンズ群が移動する。無限遠から近距離へのフォーカシングに際して第１部分群Ｌ３Ａは像側へ移動し、第２部分群Ｌ３Ｂは物体側へ移動する。実施例３はフローティング方式を用いて、フォーカシングに際しての収差変動を軽減している。実施例３において、主フォーカスレンズ部である第１部分群Ｌ３Ａに対して、第２部分群Ｌ３Ｂは−０．８７倍の比率でフォーカシング移動を行う。
【００４５】
次に、各実施例の各レンズ群の構成について説明する。以下、各レンズ群は物体側から像側へ順に配置されているものとする。
【００４６】
実施例１のレンズ構成について説明する。第１レンズ群Ｌ１は、物体側に凸面を向けたメニスカス形状の負レンズと正レンズを接合した貼り合わせレンズ、物体側に凸面を向けたメニスカス形状の正レンズを有している。これにより、コマ収差や望遠端における球面収差などを良好に補正している。
【００４７】
第２レンズ群Ｌ２は、物体側に凸面を向けたメニスカス形状の負レンズ、両レンズ面が凹形状の負レンズ、両レンズ面が凸形状の正レンズ、負レンズ、正レンズを有している。これにより、全ズーム範囲において収差変動を少なくして、良好な光学性能を達成している。また、第２レンズ群Ｌ２は少なくとも１面が非球面形状より成る非球面レンズを有している。これによれば、広角端における像面湾曲の補正が容易となる。特に、第２レンズ群Ｌ２の最も物体側のレンズ面を非球面形状にするとより望ましい。
【００４８】
第３レンズ群Ｌ３は、正の屈折力の第１部分群Ｌ３Ａと正の屈折力の第２部分群Ｌ３Ｂで構成されている。実施例２において第３Ａレンズ群Ｌ３Ａは、１つの正レンズで構成されている。尚、第１部分群Ｌ３Ａを１枚に限定するものではなく、第１部分群Ｌ３Ａは２枚以上のレンズによって構成されてもよい。第２部分群Ｌ３Ｂは正レンズ、負レンズと正レンズとを接合した接合レンズより構成されている。また、第２部分群Ｌ３Ｂは、正の屈折力を持つが、負の屈折力であってもよい。
【００４９】
第４レンズ群Ｌ４は、正レンズと像面側に凸面を向けたメニスカス形状の負レンズを接合した貼り合わせレンズを有している。また、第４レンズ群Ｌ４は少なくとも１面が非球面形状の非球面レンズを有している。これによれば、広角端において歪曲収差の補正が容易となる。第５レンズ群Ｌ５は正レンズ、像面側に凹面を向けた負レンズと正レンズを接合した貼り合わせレンズ、正レンズで構成されている。第６レンズ群Ｌ６は物体側に凸面を向けた正レンズと両レンズ面が凹形状の負レンズを接合した貼り合わせレンズで構成されている。
【００５０】
本実施例では、第４レンズ群Ｌ４を全体として負の屈折力より成る貼り合わせレンズで構成することで、第３レンズ群Ｌ３と第４レンズ群Ｌ４を含めたレンズ構成をテレフォトタイプとしている。これにより第２レンズ群Ｌ２の変倍のためのスペースを大きくして、高ズーム比化を容易にしている。
【００５１】
参考例１のレンズ構成について説明する。参考例１において第１レンズ群Ｌ１，第２レンズ群Ｌ２，第３レンズ群Ｌ３，第４レンズ群Ｌ４のレンズ構成は実施例１と同じである。第５レンズ群Ｌ５は正レンズ、像側に凹面を向けたメニスカス形状の負レンズと両レンズ面が凸形状の正レンズを接合した貼り合わせレンズ、両レンズ面が凹形状の負レンズと物体側が凸面の正レンズを接合した貼り合わせレンズで構成されている。
【００５２】
実施例２のレンズ構成について説明する。実施例２において第１レンズ群Ｌ１，第２レンズ群Ｌ２，第３レンズ群Ｌ３の第１部分群Ｌ３Ａのレンズ構成は実施例１と同じである。第２部分群Ｌ３Ｂは負レンズと正レンズとを接合した接合レンズ、正レンズと負レンズとを接合した接合レンズより構成されている。第４レンズ群Ｌ４は正レンズ、メニスカス形状の負レンズと正レンズを接合した貼り合わせレンズ、正レンズで構成される。第５レンズ群Ｌ５はメニスカス形状の負レンズと正レンズを接合した貼り合わせレンズ、負レンズによって構成される。
【００５３】
実施例３のレンズ構成について説明する。実施例３において第１レンズ群Ｌ１乃至第６レンズ群Ｌ６のレンズ構成は実施例１と同じである。
【００５４】
次に実施例１、参考例１、実施例２，３に示したズームレンズを撮影装置に適用した実施形態を図１３を用いて説明する。図１３は一眼レフカメラの概略図である。図１３において、１０は実施例１、参考例１、実施例２，３の撮影レンズ１を有する交換レンズである。撮影レンズ１は保持部材である鏡筒２に保持されている。
【００５５】
２０はカメラ本体であり、撮影レンズ１からの光束を上方に反射するクイックリターンミラー３、撮影レンズ１の像形成位置に配置された焦点板４である。焦点板４に形成された逆像を正立像に変換するペンタダハプリズム５、その正立像を観察するための接眼レンズ６等によって構成されている。７は像を受光する撮像素子が配置される撮像面である。撮影時にはクイックリターンミラー３が光路から退避して、撮像面７上に撮影レンズ１によって像が形成される。
【００５６】
以下に、実施例１、参考例１、実施例２，３に各々対応する数値実施例１乃至４を示す。各数値実施例において、ｉは物体側からの面の順番を示し、ｒｉは第ｉ番目（第ｉ面）の面の曲率半径、ｄｉは第ｉ面と第ｉ＋１面との間の間隔、ｎｄｉ、νｄｉはそれぞれ第ｉ番目のレンズの材料のｄ線を基準とした屈折率、アッベ数を示す。ＢＦはバックフォーカスであり、最終レンズ面から像面までの空気換算での距離である。レンズ全長は第１レンズ面から最終レンズ面までの距離にバックフォーカスの値を加えたものである。非球面データには、非球面を次式で表した場合の非球面係数を示す。
【００５７】
【数１】
0006418892.tif 000002
【００５８】
但し、
ｘ：光軸方向の基準面からの変位量
ｈ：光軸に対して垂直な方向の高さ
Ｒ：ベースとなる２次曲面の半径
ｋ：円錐定数
Ａｎ：ｎ次の非球面係数
なお、「ｅ−ｚ」の表示は「10-Z」を意味する。又前述の各条件式と数値実施例における諸数値との関係を表１に示す。 
【００５９】
[数値実施例１]
単位 mm
面データ
面番号       r        d      nd         vd       有効径
1        230.390    2.50   1.90366    31.3      109.04
2        114.555   14.24   1.49700    81.5      101.28
3      -4479.960    0.15                         99.11
4        104.627   12.50   1.59282    68.6       90.20
5*     -2716.177  (可変)                         89.45
6*        90.646    0.10   1.52421    51.4       52.50
7         90.646    1.90   1.88300    40.8       50.99
8         30.490   11.05                         41.14
9        -83.184    1.80   1.88300    40.8       40.32
10         48.549    0.62                         37.61
11         56.544    8.75   1.80809    22.8       37.62
12        -51.768    0.89                         37.08
13        -42.792    1.80   1.85400    40.4       36.83
14*        87.205    0.19                         35.91
15         70.473    3.82   1.85478    24.8       35.98
16        524.273  (可変)                         35.64
17(絞り)    ∞       1.00                         37.75
18*       105.132    5.37   1.58313    59.4       39.20
19*       -84.744   25.15                         39.47
20         51.693    5.61   1.60311    60.6       41.00
21       1737.824    0.15                         40.57
22        210.357    1.40   1.90366    31.3       40.12
23         32.950    8.71   1.60311    60.6       38.00
24       -143.671  (可変)                         37.80
25       -131.457    4.73   1.67270    32.1       28.63
26        -29.394    1.40   1.80400    46.6       28.23
27*        83.737  (可変)                         27.55
28        727.312    4.53   1.51633    64.1       35.47
29        -62.571    0.15                         36.00
30         88.226    1.50   1.90366    31.3       36.84
31         31.680    9.07   1.48749    70.2       36.25
32       -112.148    0.20                         36.74
33         42.940    6.38   1.65412    39.7       38.12
34       2557.983  (可変)                         37.62
35       2642.657    6.85   1.85478    24.8       35.09
36        -34.483    1.50   1.85400    40.4       34.60
37*        43.500  (可変)                         32.48
像面        ∞   
【００６０】
非球面データ
第5面
K = 0.00000e+000  A 4= 3.67299e-008  A 6=-1.58484e-012  A 8= 1.81821e-016  A10=-1.63138e-021  
第6面
K = 0.00000e+000  A 4=-2.43977e-006  A 6= 5.09375e-010  A 8= 1.82573e-012  A10=-3.53421e-015  A12= 2.03436e-018  
第14面
K = 0.00000e+000  A 4=-2.11365e-006  A 6= 1.55548e-009  A 8= 1.98487e-013  A10=-2.35384e-016  
第18面
K = 0.00000e+000  A 4=-8.84286e-007  A 6= 2.46880e-010  A 8= 2.24946e-012  A10=-3.85826e-015  
第19面
K = 0.00000e+000  A 4= 5.08795e-007  A 6=-1.66557e-010  A 8= 2.78728e-012  A10=-4.24540e-015  
第27面
K = 0.00000e+000  A 4=-2.92197e-006  A 6= 1.19104e-009  A 8=-8.67072e-012  A10= 1.47872e-014  
第37面
K = 0.00000e+000  A 4= 5.79640e-008  A 6=-1.39003e-009  A 8= 3.99401e-012  A10=-8.21714e-015  
【００６１】
各種データ
ズーム比     18.78 
広角     中間     望遠
焦点距離      28.80   139.49   540.91  
Fナンバー      2.88     4.77     5.88  
半画角（度）  36.91     8.82     2.29  
像高          21.64    21.64    21.64  
レンズ全長   298.13   341.13   398.13  
BF            44.99    76.94   116.58  
d 5            1.82    61.81    96.51  
d16           77.88    26.98     6.99  
d24            2.11    16.33    26.79  
d27           21.26     5.73     5.25  
d34            6.07     9.33     1.99  
d37           44.99    76.94   116.58  
入射瞳位置    58.29   236.15   580.16  
射出瞳位置   -91.40   -59.82   -61.80  
前側主点位置  81.01   233.36  -519.19  
後側主点位置  16.19   -62.55  -424.33  
【００６２】
ズームレンズ群データ
群  始面    焦点距離  レンズ構成長  前側主点位置  後側主点位置
1    1     158.18        29.39         9.96         -9.01
2    6     -24.15        30.92         7.07        -14.02
3   17      51.97        47.39        18.49        -26.59
4   25     -51.38         6.13         2.43         -1.13
5   28      40.85        21.83         8.17         -6.29
6   35     -51.93         8.35         4.58          0.08
単レンズデータ
レンズ  始面  焦点距離
1       1   -254.74
2       2    224.98
3       4    170.22
4       6    455754.35
5       7    -52.81
6       9    -34.50
7      11     34.70
8      13    -33.40
9      15     94.88
10      18     81.31
11      20     88.23
12      22    -43.40
13      23     45.28
14      25     55.25
15      26    -26.91
16      28    111.80
17      30    -55.40
18      31     51.74
19      33     66.70
20      35     39.87
21      36    -22.33
【００６３】
フォーカス
広角端
無限遠   ７００ｍｍ
d19     25.15      21.94
中間
無限遠   ７００ｍｍ
d19     25.15      18.09
望遠端
無限遠   ７００ｍｍ
d19     25.15      0.99
【００６４】
[数値実施例２]
単位 mm
面データ
面番号       r        d      nd         vd       有効径
1        217.431    2.50   1.90366    31.3      103.92
2        111.459   12.75   1.49700    81.5       96.68
3       1582.531    0.15                         94.22
4        110.018   12.84   1.59282    68.6       90.39
5*      -759.552  (可変)                         89.73
6*        80.453    0.10   1.52421    51.4       49.09
7         80.453    1.90   1.88300    40.8       47.56
8         29.244   10.39                         38.67
9        -72.841    1.80   1.88300    40.8       37.82
10         46.373    0.47                         35.28
11         52.369    8.74   1.80809    22.8       35.29
12        -43.880    0.80                         34.74
13        -37.319    1.80   1.85400    40.4       34.34
14*       127.600    0.14                         33.52
15         70.928    2.96   1.80809    22.8       33.57
16        167.782  (可変)                         33.96
17(絞り)    ∞       1.00                         38.35
18*       101.881    5.70   1.58313    59.4       39.28
19*       -74.740   21.55                         39.45
20         64.234    5.03   1.62299    58.2       41.03
21       1658.547    0.15                         40.64
22        142.261    1.40   1.85478    24.8       40.14
23         36.118    8.57   1.51742    52.4       38.39
24       -114.316  (可変)                         38.21
25        -78.145    3.79   1.69895    30.1       28.60
26        -32.502    1.40   1.76802    49.2       28.31
27*       110.496  (可変)                         27.70
28         53.176    6.41   1.48749    70.2       39.26
29       -197.677    0.15                         39.29
30         67.235    1.50   1.85478    24.8       39.02
31         33.614   10.06   1.48749    70.2       37.66
32        -78.655    4.95                         37.51
33*      -230.699    1.50   1.85400    40.4       35.32
34         22.577    9.06   1.85478    24.8       35.00
35        123.841  (可変)                         34.94
像面        ∞   
【００６５】
非球面データ
第5面
K = 0.00000e+000  A 4= 5.43447e-008  A 6=-3.82639e-012  A 8= 9.22131e-016  A10=-1.40964e-019  
第6面
K = 0.00000e+000  A 4=-3.29136e-006  A 6= 2.12735e-009  A 8=-2.08405e-012  A10= 1.85775e-016  A12= 1.12522e-018  
第14面
K = 0.00000e+000  A 4=-2.72281e-006  A 6= 1.79935e-009  A 8= 1.09079e-012  A10=-3.02736e-015  
第18面
K = 0.00000e+000  A 4=-1.08691e-006  A 6= 8.70394e-010  A 8=-8.76563e-013  A10= 5.10406e-016  
第19面
K = 0.00000e+000  A 4= 4.45307e-007  A 6= 5.89903e-010  A 8=-7.27751e-013  A10= 5.34009e-016  
第27面
K = 0.00000e+000  A 4=-2.88509e-006  A 6= 2.62180e-009  A 8=-1.34092e-011  A10= 2.37302e-014  
第33面
K = 0.00000e+000  A 4=-3.53520e-006  A 6=-8.36346e-010  A 8=-1.52147e-012  A10=-7.75132e-016  
【００６６】
各種データ
ズーム比     18.78 
広角     中間     望遠
焦点距離      28.80   139.51   540.95  
Fナンバー      2.88     4.77     5.88  
半画角（度）  36.91     8.82     2.29  
像高          21.64    21.64    21.64  
レンズ全長   298.12   341.12   398.12  
BF            44.99    70.42   122.60  
d 5            1.82    63.99    98.18  
d16           76.25    27.49     6.97  
d24            4.07    28.62    27.44  
d27           31.42    11.03     3.37  
d35           44.99    70.42   122.60  
入射瞳位置    55.90   242.25   585.92  
射出瞳位置  -139.47   -83.81   -65.85  
前側主点位置  80.20   255.56  -425.96  
後側主点位置  16.19   -69.08  -418.36  
【００６７】
ズームレンズ群データ
群  始面    焦点距離  レンズ構成長  前側主点位置  後側主点位置
1    1     159.01        28.24         9.53         -8.70
2    6     -22.63        29.11         7.35        -12.26
3   17      49.48        43.40        16.21        -24.38
4   25     -54.76         5.19         1.41         -1.57
5   28      88.06        33.63       -11.27        -29.50
単レンズデータ
レンズ  始面  焦点距離
1       1   -255.94
2       2    240.56
3       4    163.00
4       6    359019.40
5       7    -52.95
6       9    -31.86
7      11     30.79
8      13    -33.64
9      15    150.00
10      18     74.82
11      20    107.13
12      22    -56.98
13      23     54.10
14      25     76.98
15      26    -32.56
16      28     86.68
17      30    -80.29
18      31     49.77
19      33    -24.01
20      34     31.02
【００６８】
フォーカス
広角端
無限遠   ７００ｍｍ
d19     21.55      18.50
中間
無限遠   ７００ｍｍ
d19     21.55      15.35
望遠端
無限遠   ７００ｍｍ
d19     21.55      0.98
【００６９】
[数値実施例３]
単位 mm
面データ
面番号       r        d      nd         vd       有効径
1        227.303    2.50   1.90366    31.3      107.53
2        112.098   13.70   1.49700    81.5       99.77
3       2755.980    0.15                         97.35
4        103.041   13.56   1.59282    68.6       90.49
5*     -1115.361  (可変)                         89.63
6*        93.066    0.10   1.52421    51.4       51.80
7         93.066    1.90   1.80400    46.6       50.24
8         25.810   11.83                         38.81
9        -74.988    1.80   1.88300    40.8       38.15
10         51.711    0.13                         36.28
11         52.908    8.89   1.80809    22.8       36.28
12        -46.136    0.87                         35.83
13        -38.876    1.80   1.85400    40.4       35.50
14*       324.111    0.11                         34.97
15         69.549    2.67   1.85478    24.8       34.76
16        118.111  (可変)                         34.26
17(絞り)    ∞       1.00                         37.65
18*        87.434    5.09   1.55332    71.7       38.59
19*      -104.378   25.36                         38.83
20         61.610    1.40   1.90366    31.3       41.67
21         46.602    8.86   1.48209    70.2       40.95
22        -77.999    2.11                         40.81
23       -181.793    4.81   1.73958    28.1       39.18
24        -48.838    1.40   1.92389    35.4       38.91
25*        86.375  (可変)                         38.55
26        175.019    4.53   1.48749    70.2       39.16
27       -110.287    0.15                         39.35
28        112.997    1.50   1.90366    31.3       39.32
29         34.975    8.90   1.51742    52.4       38.38
30       -132.313    0.20                         38.59
31         40.653    7.76   1.51742    52.4       38.75
32       -573.251  (可変)                         37.89
33*       198.680    1.50   1.85400    40.4       33.79
34         72.587    6.54   1.85478    24.8       33.17
35        -66.102    0.20                         32.61
36        -86.818    1.50   1.88300    40.8       31.85
37         35.047  (可変)                         30.07
像面        ∞   
【００７０】
非球面データ
第5面
K = 0.00000e+000  A 4= 5.10514e-008  A 6= 1.32591e-012  A 8=-1.53458e-015  A10= 2.90146e-019  
第6面
K = 0.00000e+000  A 4=-2.57039e-006  A 6= 1.69112e-009  A 8=-2.84281e-012  A10= 2.38631e-015  A12=-6.84024e-019  
第14面
K = 0.00000e+000  A 4=-1.69344e-006  A 6= 2.51617e-010  A 8= 4.08846e-012  A10=-6.30603e-015  
第18面
K = 0.00000e+000  A 4=-2.81720e-006  A 6= 7.25514e-009  A 8=-2.05187e-011  A10= 2.64753e-014  
第19面
K = 0.00000e+000  A 4=-1.22264e-006  A 6= 7.08625e-009  A 8=-2.02097e-011  A10= 2.63876e-014  
第25面
K = 0.00000e+000  A 4=-7.78383e-007  A 6=-4.36574e-010  A 8=-2.73318e-013  A10= 7.75043e-016  
第33面
K = 0.00000e+000  A 4=-1.65398e-006  A 6= 5.37913e-010  A 8=-8.05974e-012  A10= 1.33590e-014  
【００７１】
各種データ
ズーム比     18.78 
広角     中間     望遠
焦点距離      28.80   139.50   540.95  
Fナンバー      2.88     4.77     5.88  
半画角（度）  36.91     8.82     2.29  
像高          21.64    21.64    21.64  
レンズ全長   298.14   341.14   398.14  
BF            44.97    72.20   127.98  
d 5            1.80    66.72    96.85  
d16           76.42    23.96     6.95  
d25           20.36     9.75     3.11  
d32           11.76    25.68    20.43  
d37           44.97    72.20   127.98  
入射瞳位置    57.17   265.17   600.06  
射出瞳位置   -73.31   -55.29   -46.94  
前側主点位置  78.96   252.03  -531.89  
後側主点位置  16.17   -67.30  -412.98  
【００７２】
ズームレンズ群データ
群  始面    焦点距離  レンズ構成長  前側主点位置  後側主点位置
1    1     156.45        29.92        10.11         -9.20
2    6     -23.46        30.09         6.56        -13.96
3   17     100.82        50.04       -29.70        -52.39
4   26      47.87        23.04         8.36         -7.23
5   33     -57.32         9.74         7.10          1.59
単レンズデータ
レンズ  始面  焦点距離
1       1   -247.30
2       2    234.71
3       4    159.78
4       6    480414.51
5       7    -44.99
6       9    -34.43
7      11     31.77
8      13    -40.55
9      15    193.01
10      18     86.81
11      20   -221.51
12      21     61.95
13      23     88.92
14      24    -33.60
15      26    139.51
16      28    -56.57
17      29     54.45
18      31     73.68
19      33   -134.66
20      34     41.37
21      36    -28.11
【００７３】
フォーカス
広角端
無限遠   ７００ｍｍ
d19     21.55      18.50
中間
無限遠   ７００ｍｍ
d19     21.55      15.35
望遠端
無限遠   ７００ｍｍ
d19     21.55      0.98
【００７４】
[数値実施例４]
単位 mm
面データ
面番号       r        d      nd         vd       有効径
1        289.790    2.50   1.90366    31.3      102.34
2        134.350   13.41   1.49700    81.5       96.14
3      -1139.966    0.15                         92.77
4        118.650   11.67   1.59282    68.6       90.57
5*     -2073.463  (可変)                         89.82
6*        75.928    0.10   1.52421    51.4       53.71
7         75.928    1.90   1.88300    40.8       51.20
8         28.624   11.37                         41.92
9       -126.536    1.80   1.88300    40.8       41.44
10         59.477    0.57                         39.58
11         66.394    7.20   1.80809    22.8       39.60
12        -63.122    1.29                         39.37
13        -47.774    1.80   1.80400    46.6       39.08
14*        93.656    0.18                         38.40
15        102.870    3.33   1.80809    22.8       38.40
16        669.897  (可変)                         38.11
17(絞り)    ∞       1.00                         38.43
18*        92.246    5.54   1.55332    71.7       39.31
19*       -85.593   25.31                         39.37
20         51.079    6.28   1.48749    70.2       41.01
21       -432.507    0.15                         40.63
22        126.145    1.40   1.90366    31.3       39.71
23         33.805    0.34                         37.64
24         34.553    7.96   1.60311    60.6       37.77
25       -194.230  (可変)                         37.49
26       -217.517    4.06   1.65434    33.5       28.74
27        -39.031    1.40   1.76474    51.7       28.19
28*        58.210  (可変)                         26.97
29        316.837    4.21   1.51633    64.1       34.21
30        -73.540    0.15                         34.65
31         86.336    1.50   1.90366    31.3       35.26
32         30.441    8.63   1.48654    70.2       34.65
33       -113.446    0.20                         35.11
34         46.392    5.86   1.63636    34.9       36.22
35       -891.649  (可変)                         35.82
36       -194.883    6.34   1.85478    24.8       33.72
37        -30.536    1.50   1.85400    40.4       33.50
38*        55.746  (可変)                         32.53
像面        ∞   
【００７５】
非球面データ
第5面
K = 0.00000e+000  A 4= 2.84014e-008  A 6=-1.18380e-012  A 8= 2.09443e-016  A10=-2.85359e-020  
第6面
K = 0.00000e+000  A 4=-3.98126e-006  A 6= 5.42455e-010  A 8=-2.34915e-013  A10=-5.50788e-017  A12= 2.36553e-019  
第14面
K = 0.00000e+000  A 4=-4.26526e-006  A 6= 1.97757e-009  A 8=-2.37855e-012  A10= 1.73480e-015  
第18面
K = 0.00000e+000  A 4=-1.16244e-006  A 6= 1.06485e-009  A 8=-1.88118e-012  A10= 3.02521e-015  
第19面
K = 0.00000e+000  A 4= 5.48269e-007  A 6= 8.27860e-010  A 8=-1.89648e-012  A10= 3.28182e-015  
第28面
K = 0.00000e+000  A 4=-2.51512e-006  A 6= 5.00043e-010  A 8=-3.17711e-012  A10= 1.47098e-015  
第38面
K = 0.00000e+000  A 4=-9.46815e-007  A 6=-1.07379e-009  A 8= 2.14780e-013  A10=-1.43476e-017  
【００７６】
各種データ
ズーム比     18.78 
広角     中間     望遠
焦点距離      28.80   139.51   540.95  
Fナンバー      2.88     4.77     5.88  
画角          36.91     8.82     2.29  
像高          21.64    21.64    21.64  
レンズ全長   298.11   341.11   398.11  
BF            39.99    68.21   106.95  
d 5            1.82    69.06   106.97  
d16           86.98    30.87     7.00  
d25            1.64    18.98    26.36  
d28           22.19     8.53     9.11  
d35            6.39     6.37     2.64  
d38           39.99    68.21   106.95  
入射瞳位置    58.12   250.65   596.24  
射出瞳位置   -78.94   -59.53   -61.98  
前側主点位置  79.95   237.79  -595.10  
後側主点位置  11.19   -71.31  -434.00  
【００７７】
ズームレンズ群データ
群  始面    焦点距離  レンズ構成長  前側主点位置  後側主点位置
1    1     172.97        27.73         9.99         -7.86
2    6     -25.78        29.54         7.48        -12.97
3   17      50.77        47.98        20.18        -26.69
4   26     -52.21         5.46         2.59         -0.63
5   29      43.03        20.55         7.83         -5.86
6   36     -50.09         7.84         3.24         -0.93
単レンズデータ
レンズ  始面  焦点距離
1       1   -279.31
2       2    242.67
3       4    189.69
4       6    319766.36
5       7    -53.03
6       9    -45.61
7      11     41.06
8      13    -39.13
9      15    150.00
10      18     81.14
11      20     94.11
12      22    -51.47
13      24     49.28
14      26     72.05
15      27    -30.36
16      29    116.02
17      31    -52.70
18      32     50.32
19      34     69.47
20      36     41.62
21      37    -22.92
【００７８】
フォーカス
広角端
無限遠   ７００ｍｍ
d19     25.31      24.49
d25     1.64        2.35
中間
無限遠   ７００ｍｍ
d19     25.31      17.77
d25     18.98      19.69
望遠端
無限遠   ７００ｍｍ
d19     25.31      1.00
d25     26.36      27.07
【００７９】
【表１】
0006418892.tif 000003
【符号の説明】
【００８０】
ＬＲ  後群      Ｌ１  第１レンズ群      Ｌ２  第２レンズ群
Ｌ３  第３レンズ群      Ｌ３Ａ  第１部分群      Ｌ３Ｂ  第２部分群
Ｌ４  第４レンズ群      Ｌ５  第５レンズ群      Ｌ６  第６レンズ群
【図１】
0006418892.tif 000004
【図２】
0006418892.tif 000005
【図３】
0006418892.tif 000006
【図４】
0006418892.tif 000007
【図５】
0006418892.tif 000008
【図６】
0006418892.tif 000009
【図７】
0006418892.tif 000010
【図８】
0006418892.tif 000011
【図９】
0006418892.tif 000012
【図１０】
0006418892.tif 000013
【図１１】
0006418892.tif 000014
【図１２】
0006418892.tif 000015
【図１３】
0006418892.tif 000016